(57)【要約】【課題】本体ケース下方の空気を効率よく吸い込むことができると共に、部屋中の空気を効率よく吸い込むことができる空気清浄機を提供することを課題とする。【解決手段】吸気口５と排気口６とを有する本体ケース４と、本体ケース４内に設けられ、吸気口５と排気口６とを連通する空気流路７と、空気流路７に臨む本体ケース４内に配置されたフィルター８と、吸気口５から本体ケース４内に吸気した空気を、フィルター８を介して排気口６から排気する送風手段９とを備え、吸気口５を、本体ケース４の前面下部において下方に向けて開口させると共に、本体ケース４の前面下部を除く前面において前方に向けて開口させる。【選択図】        図９
2005055020.tif 000002
【特許請求の範囲】
【請求項１】
吸気口と排気口とを有する本体ケースと、本体ケース内に設けられ、吸気口と排気口とを連通する空気流路と、空気流路に臨む本体ケース内に配置されたフィルターと、吸気口から本体ケース内に吸気した空気を、フィルターを介して排気口から排気する送風手段とを備え、前記吸気口は、本体ケースの前面下部において下方に向けて開口すると共に、本体ケースの前記前面下部を除く前面において前方に向けて開口することを特徴とする空気清浄機。
【請求項２】
前記本体ケースは、前面が上方に向けて傾斜可能に構成されていることを特徴とする請求項１記載の空気清浄機。
【請求項３】
前記本体ケース下部には、高さ調整可能な脚が設けられていることを特徴とする請求項２記載の空気清浄機。
【請求項４】
前記高さ調整可能な脚は本体ケースの後面側に設けられると共に、本体ケースの左右方向を回動軸として回動自在に構成され、脚を立たせた状態に回動させた際には本体ケースが略垂直状態になり、脚を寝かせた状態に回動させた際には、本体ケースの前面が上方に向けて傾斜することを特徴とする請求項３記載の空気清浄機。
【請求項５】
前記脚を後面側に回動させた際に、本体ケースの前面が上方に向けて傾斜することを特徴とする請求項４記載の空気清浄機。
【請求項６】
前記本体ケース下部に、前後方向に複数の凸部を設けると共に、本体ケースを載置する置台に前記凸部が挿入される複数の凹部を設け、本体ケースの前面側の凸部を他の凸部より長く形成し、置台を一方向に向け本体ケースを置台に載置した際には本体ケースが略垂直状態になり、置台を前後逆方向に向けて本体ケースを置台に載置した際には本体ケースの前面が上方に向けて傾斜することを特徴とする請求項２記載の空気清浄機。
【請求項７】
前記本体ケース下部に、前後方向に複数の凸部を設けると共に、本体ケースを載置する置台に、前記凸部が挿入される垂直な凹部と傾斜した凹部を複数設け、本体ケース下部の凸部を、置台の垂直な凹部あるいは傾斜した凹部に選択的に挿入することにより、本体ケースを略垂直状態あるいは本体ケースの前面が上方に向けて傾斜した状態に支持できるようにしたことを特徴とする請求項２記載の空気清浄機。
【請求項８】
前記凸部に爪部を形成すると共に、凹部に爪部が係合する孔を形成したことを特徴とする請求項６または請求項７記載の空気清浄機。
【請求項９】
前記本体ケースは、前後方向への回動及び左右方向への回転が自在な調整台に載置されていることを特徴とする請求項２記載の空気清浄機。
【請求項１０】
前記調整台は、上方に向けて立設した軸を有する基台と、短径が軸と略同寸法の楕円形状の開口部を有すると共に、本体ケース下部に係合する爪を有するカップ形状の調整部材と、軸に固定され、調整部材を基台に移動自在に装着する押え部材とから構成されていることを特徴とする請求項９記載の空気清浄機。
【発明の詳細な説明】
【技術分野】
【０００１】
本発明は、空気を浄化する空気清浄機に関する。
【背景技術】
【０００２】
この種の空気清浄機は、吸気口と排気口とを有する本体ケース内に吸気口と排気口とを連通する空気流路を設け、空気流路に臨む本体ケース内に配置されたフィルターにより、吸気口から本体ケース内に吸気した空気を浄化して排気口から排気するものにおいて、本体ケースがアーチ状のフレームにより傾斜角度調整自在に支持されたものが知られている（例えば、特許文献１参照）。
【０００３】
しかしながら、この空気清浄機は、本体ケースの前面略中央部に吸気口があり、この吸気口から本体ケース前面の空気を吸気するため、本体ケースを略垂直状態にし、灰皿を本体ケース前面の下側に置いて煙草に火を付けた場合、灰皿に置かれている煙草から立ち上る煙が空気清浄機に効率よく吸い込まれずに部屋中に拡散してしまう欠点があった。
【０００４】
また、傾斜角度調整手段により本体ケースの前面を下方に向けて傾斜させると、本体ケース前面下側の灰皿に置かれている煙草から立ち上る煙を効率よく吸い込むことはできるが、人の口から吐き出され部屋中に拡散した煙草の煙を吸い込み難くなる欠点があった。
【特許文献１】特開２０００−１５０３３号公報
【発明の開示】
【発明が解決しようとする課題】
【０００５】
本発明はこのような課題を解決するためになされたものであり、本体ケース下方の空気を効率よく吸い込むことができると共に、部屋中の空気を効率よく吸い込むことができる空気清浄機を提供することを課題とする。
【課題を解決するための手段】
【０００６】
上記課題を解決するための第１の手段は、吸気口と排気口とを有する本体ケースと、本体ケース内に設けられ、吸気口と排気口とを連通する空気流路と、空気流路に臨む本体ケース内に配置されたフィルターと、吸気口から本体ケース内に吸気した空気を、フィルターを介して排気口から排気する送風手段とを備え、前記吸気口は、本体ケースの前面下部において下方に向けて開口すると共に、本体ケースの前記前面下部を除く前面において前方に向けて開口することを特徴とする。
【０００７】
上記課題を解決するための第１の手段において、前記本体ケースは、前面が上方に向けて傾斜可能に構成されていることが好ましい。
【０００８】
上記課題を解決するための第１の手段において、前記本体ケース下部には、高さ調整可能な脚を設けてもよい。
【０００９】
上記課題を解決するための第１の手段において、前記高さ調整可能な脚は本体ケースの後面側に設けられると共に、本体ケースの左右方向を回動軸として回動自在に構成され、脚を立たせた状態に回動させた際には本体ケースが略垂直状態になり、脚を寝かせた状態に回動させた際には、本体ケースの前面が上方に向けて傾斜するようにしてもよい。
【００１０】
上記課題を解決するための第１の手段において、前記脚を後面側に回動させた際に、本体ケースの前面が上方に向けて傾斜するようにしてもよい。
【００１１】
上記課題を解決するための第１の手段において、前記本体ケース下部に、前後方向に複数の凸部を設けると共に、本体ケースを載置する置台に前記凸部が挿入される複数の凹部を設け、本体ケースの前面側の凸部を他の凸部より長く形成し、置台を一方向に向け本体ケースを置台に載置した際には本体ケースが略垂直状態になり、置台を前後逆方向に向けて本体ケースを置台に載置した際には本体ケースの前面が上方に向けて傾斜するようにしてもよい。
【００１２】
上記課題を解決するための第１の手段において、前記本体ケース下部に、前後方向に複数の凸部を設けると共に、本体ケースを載置する置台に、前記凸部が挿入される垂直な凹部と傾斜した凹部を複数設け、本体ケース下部の凸部を、置台の垂直な凹部あるいは傾斜した凹部に選択的に挿入することにより、本体ケースを略垂直状態あるいは本体ケースの前面が上方に向けて傾斜した状態に支持できるようにしてもよい。
【００１３】
上記課題を解決するための第１の手段において、前記凸部に爪部を形成すると共に、凹部に爪部が係合する孔を形成してもよい。
【００１４】
上記課題を解決するための第１の手段において、前記本体ケースを前後方向への回動及び左右方向への回転が自在な調整台に載置してもよい。
【００１５】
上記課題を解決するための第１の手段において、前記調整台は、上方に向けて立設した軸を有する基台と、短径が軸と略同寸法の楕円形状の開口部を有すると共に、本体ケース下部に係合する爪を有するカップ形状の調整部材と、軸に固定され、調整部材を基台に移動自在に装着する押え部材とから構成してもよい。
【発明の効果】
【００１６】
本発明の請求項１の構成によれば、本体ケース下方の空気を効率よく吸い込むことができると共に、部屋の空気を効率よく吸い込むことができる等の効果を奏する。
【００１７】
本発明の請求項２の構成によれば、より広い範囲の本体ケース下方の空気を効率よく吸い込むことができると共に、部屋上方の空気も効率よく吸い込むことができる等の効果を奏する。
【００１８】
本発明の請求項３の構成によれば、簡単な構成によって、より広い範囲の本体ケース下方の空気を効率よく吸い込むことができると共に、部屋上方の空気も効率よく吸い込むことができる等の効果を奏する。
【００１９】
本発明の請求項４の構成によれば、簡単な構成によって、より広い範囲の本体ケース下方の空気を効率よく吸い込むことができると共に、部屋上方の空気も効率よく吸い込むことができる等の効果を奏する。
【００２０】
本発明の請求項５の構成によれば、脚を本体ケースの後面側に回動させるという本体ケースを安定させた状態で、本体ケース前面を上方に向けて傾斜させることができるため、本体ケースの後方への転倒を防止することができる等の効果を奏する。
【００２１】
本発明の請求項６の構成によれば、設置面積を変えることなく、より広い範囲の本体ケース下方の空気を効率よく吸い込むことができると共に、部屋上方の空気も効率よく吸い込むことができる等の効果を奏する。
【００２２】
本発明の請求項７の構成によれば、設置面積を変えることなく、より広い範囲の本体ケ
ース下方の空気を効率よく吸い込むことができると共に、部屋上方の空気も効率よく吸い込むことができる等の効果を奏する。
【００２３】
本発明の請求項８の構成によれば、本体ケースを持ち上げた場合、置台の落下を防止することができる等の効果を奏する。
【００２４】
本発明の請求項９の構成によれば、設置面積を変えることなく、より広い範囲の本体ケース下方の空気を効率よく吸い込むことができると共に、部屋上方の空気も効率よく吸い込むことができる。また、本体ケースを回転させることにより本体ケースを任意の方向に向けて使用することができる等の効果を奏する。
【００２５】
本発明の請求項１０の構成によれば、設置面積を変えることなく、より広い範囲の本体ケース下方の空気を効率よく吸い込むことができると共に、部屋上方の空気も効率よく吸い込むことができる。また、本体ケースを回転させることができ、本体ケースを任意の方向に向けて使用することができる等の効果を奏する。
【発明を実施するための最良の形態】
【００２６】
（第１実施形態）
本発明を実施するための最良の第１実施形態を図１乃至図９に基づいて以下に詳述する。
【００２７】
本発明の空気清浄機は、前ケース１、中ケース２及び後ケース３とからなる本体ケース４と、前ケース１、中ケース２及び後ケース３に各々形成された吸気口５と、後ケース３に形成された排気口６と、本体ケース４内に設けられ、吸気口５と排気口６とを連通する空気流路７と、空気流路７に臨む本体ケース４内に配置されたフィルター８と、吸気口５から本体ケース４内に吸気した空気をフィルター８を介して排気口６から排気する送風手段９と、本体ケース４の下部に配置された回動自在な脚１０とから構成されている（図１参照）。
【００２８】
前ケース１は、中ケース２に着脱自在に装着されるようになっており、前ケース１の下部には、下方に向けて傾斜する傾斜部１１が突出形成されている。傾斜部１１には、前面下方に向けて開口する前面下部吸気口５ａが形成されている。前ケース１の前面には、前方に向けて開口する前面吸気口５ｂが形成されている（図１参照）。中ケース２の両側面には、両側面の外方に向けて開口する側面吸気口５ｃが形成されている。後ケース３の両側面には、両側面の外方に向けて開口する後面吸気口５ｄが形成されている。後面吸気口５ｄ、側面吸気口５ｃ、前面下部吸気口５ａ及び前面吸気口５ｂにより吸気口５が構成され、各吸気口５は本体ケース４内で連通している（図２参照）。
【００２９】
各吸気口５から本体ケース４内に吸気された空気は、中ケース２に着脱自在に装着されたフィルター８を通過する。フィルター８は、空気中の塵埃を除去する集塵フィルター８ａと空気中の臭いを脱臭する脱臭フィルター８ｂとから構成されている。フィルター８は、前ケース１を取り外すと簡単に交換できるようになっている。
【００３０】
送風手段９は、羽根車１２と羽根車１２を駆動するモータ１３とから構成され、フィルター８より下流側の中ケース２に固定されている。後ケース３の上方には、排気口６が形成されている。本体ケース４の前面上部には、操作パネル１４が配置されている。操作パネル１４は、モータ１３の運転等を操作する操作部１４ａとモータ１３の運転状態等を表示する表示部１４ｂとから構成されている。
【００３１】
前ケース１の下方には中ケース２から延設された固定脚１５が配置されている。後ケー
ス３の下部には一対の脚１０を収納するための一対の凹部１６が形成されている。凹部１６内に収納される脚１０は、略直方体形状をしている。脚１０には一対の支軸１７が形成されており、後ケース３の左右方向（図７の左右方向）に形成された一対の孔１８に支軸１７を係合させることにより、脚１０は、支軸１７を中心として本体ケース４の前後方向（図５及び図６の左右方向）に回動する。
【００３２】
脚１０は、脚１０の頂部１９が後ケース３に当接する位置（図５参照）と、脚１０の外側部２０が後ケース３に当接する位置（図６参照）との範囲内を回動する。脚１０の頂部１９が後ケース３に当接して脚１０が立っている状態の時は、脚１０と固定脚１５の高さが略同一となるため、本体ケース４は略垂直に立っている（図８参照）。脚１０の外側部２０が後ケース３に当接するまで脚１０を倒した状態の時は、本体ケース４は前面側を上方に向けて傾斜する（図９参照）。通常は、脚１０を起こして本体ケース４が略垂直に立っている状態で使用される。
【００３３】
このように構成された空気清浄機では、操作部１４ａを操作するとモータ１３が駆動を開始すると共に、羽根車１２が回転を始める。羽根車１２が回転することにより室内の空気は前面下部吸気口５ａ、前面吸気口５ｂ、側面吸気口５ｃ及び後面吸気口５ｄを介して本体ケース４内に取り込まれ、フィルター８を通過する際に空気は浄化されると共に脱臭され、排気口６を介して本体ケース４外に排気される。
【００３４】
前面下部吸気口５ａにより本体ケース４の前面下部から空気を吸気することができるため、灰皿を本体ケース４の前面下部に置いて煙草に火を付けた場合でも、灰皿に置かれている煙草から立ち上る煙を効率よく吸い込むことができ、灰皿に置かれている煙草から部屋中に拡散する煙の量を減少させることができる。また、人の口から吐き出され部屋中に拡散する煙草の煙は、前面吸気口５ｂ、側面吸気口５ｃ及び後面吸気口５ｄにより効率よく吸い込むことができる。
【００３５】
この結果、部屋で煙草を吸った際には、灰皿に置かれた煙草から立ち上る煙と、人の口から吐き出される煙とを同時に効率よく吸気することができるため、空気清浄機の運転時間を短縮化することができる。従って、空気清浄機のランニングコストを低減させることができると共に、短時間後には煙草の臭いを気にすることなく快適に部屋を使用することができる。
【００３６】
空気清浄機の設置面積に制約のない場合には、図６、図９に示すように、脚１０を外側に回動させて脚１０を倒して本体ケース４を傾斜させる。この結果、前面下部吸気口５ａはより遠くを臨むため、より遠くの本体ケース４の前面下部の空気を効率よく吸い込むことができ、前面吸気口５ｂから本体ケース４内に吸込まれずに上方に拡散してしまう煙の量をさらに減少させることができる。
【００３７】
また、前面吸気口５ｂは上方を向いているため、部屋の上方に拡散した煙をより効率よく吸気することができる。従って、空気清浄機の運転時間をさらに短縮化させることができ、ランニングコストをさらに低減させることができると共に、さらに短時間で煙草の臭いを気にすることなく快適に部屋を使用することができる。本体ケース４を後方に傾斜させることにより重心が後方に移動するため、本体ケース４は後方に倒れやすくなるが、脚１０が後方に伸びて本体ケース４を支えているため転倒することはない。
【００３８】
尚、第１実施形態では、吸気口として前面下部吸気口５ａ、前面吸気口５ｂ、側面吸気口５ｃ及び後面吸気口５ｄを設けたが、これに限定されるものではない。少なくとも前面下部吸気口５ａと前面吸気口５ｂがあればよい。
【００３９】
また、第１実施形態では、回動自在な脚１０は後ケース３の下方に配置したが、脚１０の位置はこれに限定されるものではない。例えば、前ケース１の下方に配置してもよい。
【００４０】
（第２実施形態）
図１０乃至図１３は本発明の第２実施形態を示している。第１実施形態と同一部品については同一符号を付して説明を省略する。
【００４１】
第１実施形態では、脚１０の回動により本体ケース４を傾斜させる構成にしたが、第２実施形態では、本体ケース４を載置する置台２１により本体ケース４を傾斜させる構成になっている。
【００４２】
図１０及び図１１は本体ケース４を略垂直に立たせた状態で置台２１に載置した状態を示している。図１０及び図１１において、中ケース２の下部には第１凸部２２が下方に向けて突出形成されている。第１凸部２２の先端の一部には第１爪部２３が形成されている。後ケース３の下部には第２凸部２４が下方に向けて突出形成されている。第２凸部２４の先端の一部には第２爪部２５が形成されている。第１凸部２２は第２凸部２４より長く形成されている。
【００４３】
置台２１には、第１凸部２２に対応する位置に第１凹部２６が形成されると共に、第１凹部２６に第１爪部２３と係合する第１孔部２７が形成されている。また、置台２１には、第２凸部２４に対応する位置に第２凹部２８が形成されると共に、第２凹部２８に第２爪部２５と係合する第２孔部２９が形成されている。第１凹部２６は第２凹部２８より深く形成されている。
【００４４】
また、置台２１には、第１凹部２６及び第２凹部２８以外に、第３凹部３０及び第４凹部３２が形成されている。第３凹部３０は、置台２１を前後逆方向にした場合の第１凸部２２に対応する位置に形成されていると共に、挿入側を後面側に傾斜させている。また、第３凹部３０には第１爪部２３と係合する第３孔部３１が形成されている。同じく第４凹部３２は、置台２１を前後逆方向にした場合の第２凸部２４に対応する位置に形成されていると共に、挿入側を後面側に傾斜させている。また、第４凹部３２には第２爪部２５と係合する第４孔部３３が形成されている。第３凹部３０は第４凹部３２より浅く形成されている。
【００４５】
第１凸部２２を第１凹部２６に挿入すると共に、第２凸部２４を第２凹部２８に挿入した状態では、第１凸部２２は長く形成されているけれど、第１凹部２６も深く形成されているため、本体ケース４は略垂直状態になる。置台２１の前後を逆にして、第１凸部２２を第３凹部３０に挿入すると共に、第２凸部２４を第４凹部３２に挿入した状態では、長く形成された第１凸部２２と浅く形成された第３凹部３０との組み合わせにより、前面側が高くなると共に、第３凹部３０及び第４凹部３２に形成された傾斜により本体ケース４の前面は上方に向けて傾斜する。
【００４６】
従って、図１０及び図１１に示すように、本体ケース４を略垂直に立てた状態から、第１爪部２３及び第２爪部２５の係合を外して置台２１から本体ケース４を取り外した後、置台２１を前後逆方向に向けて接地面に置いた後、図１２及び図１３に示すように、第１凸部２２を第３凹部３０に挿入して第１爪部２３を第３孔部３１に係合させると共に、第２凸部２４を第４凹部３２に挿入して第２爪部２５を第４孔部３３に係合させると、本体ケース４の前面を上方に向けて傾斜させることができる。このようにして、置台２１を前後逆方向にするだけで、設置面積を変えることなく本体ケース４を傾斜させることができる。
【００４７】
尚、第２実施形態では、置台２１を前後逆方向にすることにより、本体ケース４を垂直状態あるいは傾斜状態に支持できるように構成したが、これに限定されるものではない。例えば、第１凸部２２と第２凸部２４とを略同じ長さに形成すると共に、置台２１に垂直な凹部と傾斜した凹部を複数形成し、第１凸部２２と第２凸部２４を垂直な凹部または傾斜した凹部に選択的に挿入することにより、本体ケース４を垂直状態あるいは傾斜状態に支持できるように構成してもよい。
【００４８】
（第３実施形態）
図１４乃至図１８は本発明の第３実施形態を示している。第１実施形態及び第２実施形態と同一部品については同一符号を付して説明を省略する。
【００４９】
第２実施形態では、置台２１の向きを変えることにより本体ケース４を傾斜させる構成にしたが、第３実施形態では、本体ケース４を載置する調整台３４を回動させることにより本体ケース４を傾斜させる構成になっている。
【００５０】
調整台３４は、軸３５が上方に向けて突出形成されている基台３６と、短径が軸３５と略同寸法の楕円形状の開口部３７が形成されたカップ形状の調整部材３８と、軸３５に固定され、調整部材３８を基台３６に回動自在に装着する押え部材３９とから構成されている。また、調整部材３８の先端には本体ケース４下部に形成された係合孔４０に係合する爪４１が形成されている。そして、調整部材３８の爪４１を上方にして調整部材３８の開口部３７を基台３６の軸３５に挿入し、押え部材３９を軸３５に固定することにより、調整部材３８は基台３６に対して移動自在に装着される。本体ケース４の係合孔４０を調整部材３８の爪４１に係合させることにより本体ケース４は調整部材３８に固定される（図１６参照）。
【００５１】
このように構成された第３実施形態では、本体ケース４の前面を上方に向けて傾斜させる時は、本体ケース４を持って本体ケース４の前面を上方に向けて傾斜させる方向に力を加えると、調整部材３８が開口部３７の長径方向に沿って前方に回動するため、本体ケース４は傾斜する（図１６参照）。この結果、設置面積を変えることなく本体ケース４を傾斜させることができる。
【００５２】
また、本体ケース４の向きを変えるときには、本体ケース４を持って回転させると調整部材３８は軸３５を中心として回転するため、本体ケース４の向きを任意の方向に回転させることができる。この結果、例えば、部屋の隅にしか空気清浄機を置けない場合でも、本体ケース４の向きを部屋の中央に向けて回転させることができ、部屋全体の空気を効率よく吸気させることができる。従って、部屋の空気の集塵効率及び脱臭効率を向上させることができる。
【図面の簡単な説明】
【００５３】
【図１】本発明を実施するための最良の第１実施形態の空気清浄機の側断面図である。
【図２】同空気清浄機を上面から見た断面図である。
【図３】同空気清浄機の正面図である。
【図４】同空気清浄機の背面図である。
【図５】同空気清浄機の脚の断面図で、脚を立てた状態を示す。
【図６】同空気清浄機の脚の断面図で、脚を倒した状態を示す
【図７】同空気清浄機の脚の取付け状態を示す断面図である。
【図８】同空気清浄機の側面図で、本体ケースを立てた状態を示す。
【図９】同装置の側面図で、本体ケースを傾斜させた状態を示す。
【図１０】本発明を実施するための最良の第２実施形態の空気清浄機の側断面図で、本体ケースを立てた状態を示す。
【図１１】同空気清浄機の側断面図で、本体ケースを立てた状態の本体ケースの係合状態を示す。
【図１２】同空気清浄機の側断面図で、本体ケースを傾斜させた状態を示す。
【図１３】同空気清浄機の側断面図で、本体ケースを傾斜させた状態の本体ケースの係合状態を示す。
【図１４】本発明を実施するための最良の第３実施形態の空気清浄機の調整台の構成を示す側断面図である。
【図１５】同空気清浄機の調整台の構成を示す上面図である。
【図１６】同空気清浄機の構成を示す側断面図である。
【図１７】同空気清浄機の構成を示す側面図で、本体ケースを立てた状態を示す。
【図１８】同空気清浄機の構成を示す側面図で、本体ケースを傾斜させた状態を示す。
【符号の説明】
【００５４】
４    本体ケース
５    吸気口
５ａ  前面下部吸気口
５ｂ  前面吸気口
６    排気口
７    空気流路
８    フィルター
９    送風手段
１０  脚
２１  置台
２２  第１凸部
２４  第２凸部
２６  第１凹部
２８  第２凹部
３０  第３凹部
３４  調整台
３５  軸
３６  基台
３７  開口部
３８  調整部材
３９  押え部材
４０  第４凹部
【図１】
2005055020.tif 000003
【図２】
2005055020.tif 000004
【図３】
2005055020.tif 000005
【図４】
2005055020.tif 000006
【図５】
2005055020.tif 000007
【図６】
2005055020.tif 000008
【図７】
2005055020.tif 000009
【図８】
2005055020.tif 000010
【図９】
2005055020.tif 000011
【図１０】
2005055020.tif 000012
【図１１】
2005055020.tif 000013
【図１２】
2005055020.tif 000014
【図１３】
2005055020.tif 000015
【図１４】
2005055020.tif 000016
【図１５】
2005055020.tif 000017
【図１６】
2005055020.tif 000018
【図１７】
2005055020.tif 000019
【図１８】
2005055020.tif 000020